(57)【要約】【課題】  縦フレームの縦材に形成された取付穴を共用することができ、取付作業が容易で、また、棚板を十分安定に支持することのできる収納体の棚受け構造を提供すること。【解決手段】  棚受け片２ｂが縦フレーム１の縦材１ａから突出するように、取付片２ａの固定穴を縦材の内側面に形成された取付穴に一致させ、棚受け金具２の取付片が、固着具７により縦フレームの縦材内側面に取り付けられ、縦フレームの縦材から突出する棚受け片の上に棚板６が載置され、棚板受け片が棚板を支持する。【選択図】図１
2006198281.tif 000002
【特許請求の範囲】
【請求項１】
縦材と横材とにより矩形枠状に組み立てられた縦フレームが、複数対向して配設される収納体の棚受け構造であって、縦フレームの縦材内側面に形成された取付穴に対応して設けられた固定穴を有する取付片とこの取付片から横方向に突出する棚受け片とを備えた棚受け金具が用いられ、棚受け片が縦フレームの縦材から突出するように、固定穴を取付穴に一致させ、棚受け金具の取付片が、固着具により縦フレームの縦材内側面に取り付けられ、縦フレームの縦材から突出する棚受け片の上に棚板が載置され、棚受け片が棚板を支持することを特徴とする収納体の棚受け構造。
【発明の詳細な説明】
【技術分野】
【０００１】
本願発明は、縦材と横材とにより矩形枠状に組み立てられた縦フレームが、複数対向して配設される収納体の棚受け構造に関するものである。
【背景技術】
【０００２】
縦材と横材とが組み合わされ、矩形枠状に組み上げられた縦フレームが、複数対向して配設される収納体が知られている（たとえば、特許文献１参照）。
【０００３】
一方、収納体に棚板を取り付けるために、様々な棚受け金具が提供されている（たとえば、特許文献２参照）。
【特許文献１】特開平７−２０７９１７号公報
【特許文献２】実開平６−１９６７２号公報
【発明の開示】
【発明が解決しようとする課題】
【０００４】
しかしながら、縦フレームの縦材には、引出しのレールを取り付けるためのレール取付金具や側板を縦フレームに取り付けるための側板固定金具等の、種々の金具を取り付けるために取付穴が形成されており、これらに加えて棚受け金具を取り付けるための取付穴を新たに形成することは加工上面倒であり、縦材の強度に少なからず影響を与える。また、種々の取付穴の中から棚受け金具用の取付穴を見つけ出し、棚受け金具を取り付けるのでは、棚の取付作業が円滑に行われない。
【０００５】
本願発明は、このような事情に鑑みてなされたものであり、縦フレームの縦材に形成された取付穴を共用することができ、取付作業が容易で、また、棚板を十分安定に支持することのできる収納体の棚受け構造を提供することを課題としている。
【課題を解決するための手段】
【０００６】
本願発明は、上記の課題を解決するために、縦材と横材とにより矩形枠状に組み立てられた縦フレームが、複数対向して配設される収納体の棚受け構造であって、縦フレームの縦材内側面に形成された取付穴に対応して設けられた固定穴を有する取付片とこの取付片から横方向に突出する棚受け片とを備えた棚受け金具が用いられ、棚受け片が縦フレームの縦材から突出するように、固定穴を取付穴に一致させ、棚受け金具の取付片が、固着具により縦フレームの縦材内側面に取り付けられ、縦フレームの縦材から突出する棚受け片の上に棚板が載置され、棚受け片が棚板を支持することを特徴としている。
【発明の効果】
【０００７】
本願発明によれば、棚受け金具を取り付けるための取付穴を縦フレームの縦材に形成された他の取付金具用の取付穴と共用することができる。棚受け金具を取り付けるための取付作業が容易となる。そして、棚板は、棚受け金具の棚受け片により十分安定に支持される。
【発明を実施するための最良の形態】
【０００８】
図１は、本願発明の収納体の棚受け構造の一実施形態を示した正面図である。図２は、図１図中のＡ−Ａ断面図である。
【０００９】
対向配置された２つの縦フレーム１の縦材１ａの内側面に棚受け金具２が配設されている。棚受け金具２は、図３に拡大して示したように、固定穴を有する取付片２ａと取付片２ａから横方向に突出する棚受け片２ｂとを備えている。棚受け金具２では、取付片２ａが有する固定穴は、図１および図２に示した縦フレーム１の縦材１ａの内側面に形成された取付穴に対応して設けられている。すなわち、固定穴のピッチは取付穴のピッチに等しくされている。固定穴は、上下２箇所に所定ピッチで設けられている。
【００１０】
縦フレーム１の縦材１ａの内側面（収納体の奥行方向の内側に向かっている側面）には、図１に示したように、引出し３に設けられるレールを取り付けるためのレール取付金具４や側板５を縦フレーム１に取り付けるための側板固定金具等を取り付けるために取付穴が複数形成されている。これらの取付穴に対応して、棚受け金具２の取付片２ａに固定穴が設けられている。したがって、縦フレーム１の縦材１ａの内側面に形成された取付穴は、レール取付金具４、側板固定金具等の取付けに対応しているばかりでなく、棚受け金具２の取付けにも対応している。取付穴は共用され、棚受け金具２の取付けのみのために設けられることはない。棚受け金具２の取付けには、縦フレーム１の縦材１ａの内側面に形成された取付穴の所望のものを選択し、利用することができる。このため、棚受け金具２の取付作業が容易となっている。
【００１１】
棚受け金具２の棚受け片２ｂは、図３に示したように、断面コ字型の形状を有し、取付片２ａから横方向に突出している。この棚受け片２ｂは、棚受け金具２の取付けにあたって、図１および図２に示したように、縦フレーム１の縦材１ａから突出するように配置される。すなわち、棚受け金具２は、棚受け片２ｂが縦フレーム１の縦材１ａから横に突出するように取付片２ａの固定穴を縦材１ａの取付穴に一致させ、その位置で縦材１ａに取り付けられる。このようにして取り付けられる棚受け金具２は、縦フレーム１の前後の縦材１ａにそれぞれ設けられ、縦フレーム１に対向する縦フレーム１の前後の縦材１ａにも設けられる。したがって、都合４個の棚受け金具２が棚板６の取付けのために設けられる。棚受け金具２の取付高さは、４個の間で一致させる。
【００１２】
棚受け金具２を縦フレーム１の縦材１ａに取り付ける際には、図４の要部断面図に示したように、取付片２ａを縦材１ａの内側面に当接させ、止めピン７、ビス等の固着具により取付片２ａ側から固定する。
【００１３】
棚板６は、図１〜図３に示したように、棚受け金具２の棚受け片２ｂの上に載置され、この棚受け片２ｂにより支持される。棚板６は、取付高さの等しい４個の棚受け金具２の棚受け片２ｂにより支持されるため、支持状態は、十分安定したものとなる。
【００１４】
また、棚受け金具２の内、収納体の前側に位置するものは、図２に示したように、取付片２ａが縦フレーム１の縦材１ａの内側面に配置されるため、棚受け片２ｂのみが露出することになる。したがって、外観の良好な棚受け構造が実現される。
【００１５】
外観をさらに良好にするためには、縦フレーム１の縦材１ａの内側面に縦材１ａの長さ方向にカバー８を取り付け、棚受け金具２の取付片２ａを覆うことが可能である。カバー８の取付けは、縦フレーム１の後側に位置する縦材１ａの内側面に取り付けられる棚受け金具２の露出を抑えるのに効果的となる。前側に位置する縦材１ａに取り付けられる棚受け金具２と同様に、カバー８の装着後に露出する部分は棚受け片２ｂのみとなる。
【００１６】
このようなカバー８の取付けのために、縦フレーム１の縦材１ａの内側面中央部に樹脂製等のパッキン９を設け、このパッキン９と弾性により嵌着する一対の係合部８ａをカバー８の裏側に立設することができる。一対の係合部８ａ内にパッキン９が嵌入することでカバー８が固定される。パッキン９は、縦フレーム１の縦材１ａの長さ方向にわたってまたは部分的に設けることができ、係合部８ａは、パッキン９が配設される部位に対応して設けることができる。
【図面の簡単な説明】
【００１７】
【図１】本願発明の収納体の棚受け構造の一実施形態を示した正面図である。
【図２】図１図中のＡ−Ａ断面図である。
【図３】棚受け具を拡大して示した正面図である。
【図４】棚受け具の取付けについて示した要部断面図である。
【符号の説明】
【００１８】
１    縦フレーム
１ａ    縦材
２    棚受け金具
２ａ    取付片
２ｂ    棚受け片
３    引出し
４    レール取付金具
５    側板
６    棚板
７    止めピン
８    カバー
８ａ    係合部
９    パッキン
【図１】
2006198281.tif 000003
【図２】
2006198281.tif 000004
【図３】
2006198281.tif 000005
【図４】
2006198281.tif 000006